【手続補正書】
【提出日】平成21年9月7日(2009.9.7)
【手続補正１】
【補正対象書類名】明細書
【補正対象項目名】０００７
【補正方法】変更
【補正の内容】
【０００７】
本発明は、以下の解決手段によって、上述の課題を解決する。
（請求項１）
請求項１の発明は、役の抽選を行う役抽選手段と、前記役抽選手段の抽選結果と、ストップスイッチの操作タイミングとに基づいて、リールの停止位置を決定するとともに、その決定された位置にリールを停止制御するリール停止制御手段と、前記役抽選手段で特別役に当選したときは、その特別役が入賞するまで、特別役の当選を持ち越すようにする特別役当選持越し手段と、前記役抽選手段による役の抽選で特別役に当選し、特別役の図柄の組合せが有効ラインに停止することにより特別役が入賞したことを条件として、遊技者にとって有利となる特別遊技に移行させ、特別遊技を行わせる特別遊技実行手段と、所定の条件を満たしたときに、通常遊技時よりもリプレイの当選確率を高く設定した特定遊技に移行させ、特定遊技を行わせる特定遊技実行手段とを備え、前記特定遊技実行手段により特定遊技を実行している場合に、前記役抽選手段による役の抽選で特別役に当選したときは、特別役が入賞するまで特定遊技を継続し、前記リール停止制御手段は、前記役抽選手段による役の抽選で特別役に当選していないとき及び特別役に当選しているときのいずれにおいても、特別役の当選可能性を有することを意味する図柄の組合せを所定割合で出現させるように制御し、前記特定遊技実行手段により特定遊技を実行している場合において、前記役抽選手段による役の抽選で特別役に当選した後、特別役が入賞する前にリプレイに当選したときは、リプレイを優先的に入賞させることで当選を持ち越している特別役が入賞しにくくなるように制御し、かつ、特別役の当選可能性を有することを意味する図柄の組合せの出現率が、前記特定遊技を実行していないときに比べて高くなるように制御することを特徴とする。
【手続補正２】
【補正対象書類名】明細書
【補正対象項目名】０００８
【補正方法】変更
【補正の内容】
【０００８】
請求項１の発明においては、特別役の入賞により、遊技者にとって有利な特別遊技に移行する。また、所定の条件を満たしたとき、例えば特別遊技の終了後に一定条件下で、通常遊技時よりリプレイの当選確率が高い特定遊技に移行する。この特定遊技は、通常遊技時よりメダル獲得枚数期待値が大きくなる遊技、例えばメダル所有枚数を減らすことなく継続できる遊技や、所定の割合でメダルが増加していく遊技である。この特定遊技中に特別役に当選したときは、特定遊技は終了することなく、特別役が入賞するまで継続される。そして、このときは、リプレイの当選時にリプレイの入賞が優先されるので、当選を持ち越している特別役が入賞しにくくなる。さらに、特別役の当選可能性を有することを意味する図柄の組合せの出現率が高くなる。
【手続補正３】
【補正対象書類名】明細書
【補正対象項目名】０００９
【補正方法】変更
【補正の内容】
【０００９】
したがって、特定遊技中に特別役に当選したときでも、特定遊技を継続して行うことができる。これにより、特別役に当選した状態を維持しつつ、特定遊技で遊技者が得られる利益を確保することができる。
また、特定遊技では、特別役の当選可能性を有すること、すなわち特別役に確実に当選しているわけではないが、特別役に当選している場合もあり得ることを意味する図柄の組合せを積極的に出現させることで、特定遊技中における特別役の当選の有無を遊技者に察知されないようにすることができる。さらにまた、遊技者に特別役の当選の期待感を与えつつ、特定遊技を行うことができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
（請求項２）
請求項２の発明は、請求項１又は請求項２に記載のスロットマシンにおいて、特別役の当選を報知する特別役当選報知手段と、前記特定遊技実行手段により特定遊技を実行している場合において、前記役抽選手段による役の抽選で特別役に当選しているときは、前記特別役当選報知手段による報知を中止する当選報知中止手段とを備えることを特徴とする。
【手続補正１２】
【補正対象書類名】明細書
【補正対象項目名】００１８
【補正方法】変更
【補正の内容】
【００１８】
請求項２の発明においては、例えば通常遊技中に特別役に当選したときは、特別役当選報知手段により、特別役の当選が遊技者に報知される。しかし、特定遊技中に特別役に当選したときは、その当選の報知が中止される。
したがって、特定遊技中には特別役の当選を遊技者に知らせないようにし、例えば特定遊技の終了後に報知することにより、遊技者に特別役の当選の期待感を与えた上で特定遊技を行わせることができる。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】変更
【補正の内容】
【００２４】
（請求項３）
請求項３の発明は、請求項１又は請求項２に記載のスロットマシンにおいて、前記リール停止制御手段は、前記役抽選手段の抽選結果と、ストップスイッチの操作タイミングとに基づいて、リールの停止時における図柄の組合せを決定する停止位置決定テーブルを備え、前記停止位置決定テーブルは、特別役に当選していることを意味する図柄の組合せを出現させる第１停止位置決定テーブル（実施形態では、停止位置決定テーブル６５ｉ、６５ｊ及び６５ｋ）と、特別役の当選可能性を有することを意味する図柄の組合せを出現させる第２停止位置決定テーブル（実施形態では、停止位置決定テーブル６５ｇ又は６５ｈ）と、特別役に当選していないことを意味する図柄の組合せを出現させる第３停止位置決定テーブル（実施形態では、停止位置決定テーブル６５ｄ、６５ｅ及び６５ｆ）とを有し、通常遊技時に、前記役抽選手段による役の抽選で特別役に当選していないときは前記第２停止位置決定テーブル（実施形態では、停止位置決定テーブル６５ｇ）又は前記第３停止位置決定テーブルを選択し、かつ前記役抽選手段による役の抽選で特別役に当選しているときは前記第１停止位置決定テーブル又は前記第２停止位置決定テーブル（実施形態では、停止位置決定テーブル６５ｇ）を選択するとともに、前記特定遊技実行手段により特定遊技を実行している場合において、前記役抽選手段による役の抽選で特別役に当選しているときは前記第２停止位置決定テーブル（実施形態では、停止位置決定テーブル６５ｈ）を選択する停止位置決定テーブル選択手段を備えることを特徴とする。
【手続補正１９】
【補正対象書類名】明細書
【補正対象項目名】００２５
【補正方法】変更
【補正の内容】
【００２５】
請求項３の発明においては、リールの停止位置を決定するテーブルとして、第１停止位置決定テーブル〜第３停止位置決定テーブルが設けられる。
通常遊技の特別役に当選していない遊技では、第２停止位置決定テーブル又は第３停止位置決定テーブルが選択される。これにより、特別役の当選可能性を有することを意味する図柄の組合せ、又は特別役に当選していないことを意味する図柄の組合せが出現するようになる。
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】変更
【補正の内容】
【００３０】
（請求項４）
請求項４の発明は、請求項１から請求項３までのいずれか１項に記載のスロットマシンにおいて、前記役抽選手段は、前記特定遊技実行手段により特定遊技を実行しているときは、いずれかの役に当選する確率がいずれの役にも当選しない確率より高く設定して役の抽選を行うことを特徴とする。
【手続補正２３】
【補正対象書類名】明細書
【補正対象項目名】００３１
【補正方法】変更
【補正の内容】
【００３１】
請求項４の発明においては、特定遊技中は、いずれかの役に当選する確率の方がいずれの役にも当選しない確率より高くなる。すなわち、いずれの役も入賞しない遊技より、いずれかの役が入賞する遊技の方が多くなる。
したがって、特定遊技中は、いずれの役も入賞しない遊技回数を少なくすることができる。よって、特別役に当選しているときの特別役の入賞率を低くすることができる。
【手続補正２４】
【補正対象書類名】明細書
【補正対象項目名】００３２
【補正方法】変更
【補正の内容】
【００３２】
（請求項１）
請求項１の発明によれば、特定遊技中に特別役に当選してもその特別役が入賞しない限り特別遊技には移行しないようにし、さらに特別役の当選後にはリプレイの当選時にリプレイの入賞が優先されるので、当選を持ち越している特別役が入賞しにくくなる。したがって、特定遊技中に特別役に当選したときでも、特定遊技を継続して行うことができる。これにより、特別役に当選した状態を維持しつつ、特定遊技で遊技者が得られる利益を確保することができる。
また、特定遊技では、特別役の当選可能性を有すること、すなわち特別役に確実に当選しているわけではないが、特別役に当選している場合もあり得ることを意味する図柄の組合せを積極的に出現させることで、特定遊技中における特別役の当選の有無を遊技者に察知されないようにすることができる。また、遊技者に特別役の当選の期待感を与えつつ、特定遊技を行うことができる。
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】変更
【補正の内容】
【００３６】
（請求項２）
請求項２の発明によれば、特定遊技中には特別役の当選を遊技者に知らせないようにし、例えば特定遊技の終了後に報知することにより、遊技者に特別役の当選の期待感を与えた上で特定遊技を行わせることができる。
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】変更
【補正の内容】
【００３８】
（請求項３）
請求項３の発明によれば、特定遊技の特別役に当選している遊技では、特別役の当選可能性を有すること、すなわち特別役に確実に当選しているわけではないが、特別役に当選している場合もあり得ることを意味する図柄の組合せを積極的に出現させることで、特定遊技中における特別役の当選の有無を遊技者に察知されないようにすることができる。また、遊技者に特別役の当選の期待感を与えつつ、特定遊技を行うことができる。
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】変更
【補正の内容】
【００４０】
（請求項４）
請求項４の発明によれば、特定遊技中は、いずれの役も入賞しない遊技回数を少なくすることができる。よって、特別役に当選しているときの特別役の入賞率を低くすることができる。
【手続補正３３】
【補正対象書類名】特許請求の範囲
【補正対象項目名】全文
【補正方法】変更
【補正の内容】
【特許請求の範囲】
【請求項１】
役の抽選を行う役抽選手段と、
前記役抽選手段の抽選結果と、ストップスイッチの操作タイミングとに基づいて、リールの停止位置を決定するとともに、その決定された位置にリールを停止制御するリール停止制御手段と、
前記役抽選手段で特別役に当選したときは、その特別役が入賞するまで、特別役の当選を持ち越すようにする特別役当選持越し手段と、
前記役抽選手段による役の抽選で特別役に当選し、特別役の図柄の組合せが有効ラインに停止することにより特別役が入賞したことを条件として、遊技者にとって有利となる特別遊技に移行させ、特別遊技を行わせる特別遊技実行手段と、
所定の条件を満たしたときに、通常遊技時よりもリプレイの当選確率を高く設定した特定遊技に移行させ、特定遊技を行わせる特定遊技実行手段と
を備え、
前記特定遊技実行手段により特定遊技を実行している場合に、前記役抽選手段による役の抽選で特別役に当選したときは、特別役が入賞するまで特定遊技を継続し、
前記リール停止制御手段は、
前記役抽選手段による役の抽選で特別役に当選していないとき及び特別役に当選しているときのいずれにおいても、特別役の当選可能性を有することを意味する図柄の組合せを所定割合で出現させるように制御し、
前記特定遊技実行手段により特定遊技を実行している場合において、前記役抽選手段による役の抽選で特別役に当選した後、特別役が入賞する前にリプレイに当選したときは、リプレイを優先的に入賞させることで当選を持ち越している特別役が入賞しにくくなるように制御し、かつ、特別役の当選可能性を有することを意味する図柄の組合せの出現率が、前記特定遊技を実行していないときに比べて高くなるように制御する
ことを特徴とするスロットマシン。
【請求項２】
請求項１に記載のスロットマシンにおいて、
特別役の当選を報知する特別役当選報知手段と、
前記特定遊技実行手段により特定遊技を実行している場合において、前記役抽選手段による役の抽選で特別役に当選しているときは、前記特別役当選報知手段による報知を中止する当選報知中止手段と
を備えることを特徴とするスロットマシン。
【請求項３】
請求項１又は請求項２に記載のスロットマシンにおいて、
前記リール停止制御手段は、前記役抽選手段の抽選結果と、ストップスイッチの操作タイミングとに基づいて、リールの停止時における図柄の組合せを決定する停止位置決定テーブルを備え、
前記停止位置決定テーブルは、
特別役に当選していることを意味する図柄の組合せを出現させる第１停止位置決定テーブルと、
特別役の当選可能性を有することを意味する図柄の組合せを出現させる第２停止位置決定テーブルと、
特別役に当選していないことを意味する図柄の組合せを出現させる第３停止位置決定テーブルとを有し、
通常遊技時に、前記役抽選手段による役の抽選で特別役に当選していないときは前記第２停止位置決定テーブル又は前記第３停止位置決定テーブルを選択し、かつ前記役抽選手段による役の抽選で特別役に当選しているときは前記第１停止位置決定テーブル又は前記第２停止位置決定テーブルを選択するとともに、前記特定遊技実行手段により特定遊技を実行している場合において、前記役抽選手段による役の抽選で特別役に当選しているときは前記第２停止位置決定テーブルを選択する停止位置決定テーブル選択手段を備える
ことを特徴とするスロットマシン。
【請求項４】
請求項１から請求項３までのいずれか１項に記載のスロットマシンにおいて、
前記役抽選手段は、前記特定遊技実行手段により特定遊技を実行しているときは、いずれかの役に当選する確率がいずれの役にも当選しない確率より高く設定して役の抽選を行う
ことを特徴とするスロットマシン。